Podtech/llm-jp-corpus-v4-ja_patent huggingface dataset:
(57)【要約】      （修正有）【課題】照明や標識用のポールのベース固定用ボルトの養生と保守を容易にするゴム製キャップを提供する。【解決手段】街路灯等のポールのベースをアンカーボルトに高ナットを介してボルトで締めて固定する際、それぞれ所定厚さからなる、ベース上面の開口を閉鎖しその周縁を傾斜面にしてある平板、およびボルト頭の頂面と密接する当該平板中央部の下面に接続する、ボルト頭の全側面に密接する内側面を有する筒状部とからなる、硬質に成形されたゴム製キャップをベース上面の開口陥没部分の開口の閉鎖とその閉鎖部材の固定に使用すれば、ボルト頭への嵌合作業が容易で、外観もよく路面になじみ、周辺歩行者の障害原因をなくし、しかも塵や埃がたまらず、ボルトが錆びにくく、補修を殆ど不要にする。なお、ゴム製キャップの平板は円形が好適であり、嵌合時接着剤を使用すれば止水性を向上させることができる。【選択図】図１
0003156121.tif 000002
【実用新案登録請求の範囲】
【請求項１】
街路灯等のポールのベースをアンカーボルトに高ナットを介してボルトで締めて固定する際ベース開口部の仕上げに使用するもので、それぞれ所定厚さからなる、ベース上面の開口を閉鎖し周縁を傾斜面にしてある平板、およびボルト頭の頂面と密接する当該平板中央部の下面に接続する、ボルト頭の全側面に密接する内側面を有する筒状部とからなる、硬質に成形されたゴム製キャップ。
【考案の詳細な説明】
【技術分野】
【０００１】
本考案は街路灯等のポールのベース固定用ボルト周辺の養生と保安用のゴムキャップに関する。
【背景技術】
【０００２】
従来、照明や標識等のポール（支柱）のリブなしベース（基板）を土面に固定する場合、ベース内の４箇所でアンカーボルトに高ナットを介してボルトを螺着しているが、ボルト頭を露出したままでは、歩行者の障害になり、怪我の原因になる。そこで、ベースとの間隙にシリコーンコーキング剤を充填し固化させてから使用するようにしているが、そのため、養生に時間がかかり、作業時間を要して煩雑であった。また、経時後にコーキング剤が歩行者により磨耗剥離し、補修を要することも多く、解決が望まれている。なお、特許文献１の因幡電機製作所の応力緩和型ポール、オリス（登録商標）に関する商品案内によれば、ポールベースの陥没部で突出するアンカーボルトにナットを螺着させてベースを固定し、そのうえ、陥没部で当該ナットからアンカーボルトが突出している箇所に広角円錐状のシリコーン製アンカーキャップを被せることが示されているが、アンカーボルトの先端でシリコーン製のキャップが破損しやすく、破損後に陥没部に塵や雨水がたまり、露出したアンカーボルトの先端で怪我をしやすく危険でもあり、不充分に思われる。
【先行技術文献】
【特許文献】
【０００３】
【特許文献１】因幡電機産業（株）電話０６ー６５３２ー２３０１の応力緩和型ポール用オリス（登録商標）に関する商品案内
【考案の概要】
【考案が解決しようとする課題】
【０００４】
本考案は街路灯等のポールベース固定用ボルトの露出頭部の養生と保安に必要な治具を提供せんとするものである。
【課題を解決するための手段】
【０００５】
ここにおいて本考案者は、街路灯等のポールのベースをアンカーボルトに高ナットを介してボルトで締めて固定する際ベース開口部の仕上げに使用するものとして、それぞれ所定の厚さからなる、ベース上面の開口を閉鎖し周縁を傾斜面にしてある平板と、ボルト頭の頂面と密接する当該平板中央部の下面に接続する、ボルト頭の全側面に密接する内側面を有する筒状部とからなる、硬質に成形されたゴム製キャップを見出すに至った。なお、ゴム製キャップの（イ）の平板は円形が好適であり、嵌合時に接着剤を使用すれば止水性を向上させることができる。
【考案の効果】
【０００６】
本考案のゴム製キャップを構成する平板はベースの開口部を閉鎖し、筒状部は当該平板を固定する機能を有している。本考案のゴム製キャップを使用することにより、ボルト頭との嵌合が容易で、仕上げ作業が簡単に終了し、外観もよく塵みや埃がたまらず、路面を綺麗にし、歩行者の障害をなくす。また、ボルトが錆びにくく、補修を殆ど不要にする。
【図面の簡単な説明】
【０００７】
【図１】本考案のゴム製キャップを上向きにした写真像である
【図２】本考案のゴム製キャップの使用位置を示す説明図である。
【考案を実施するための形態】
【０００８】
本考案のゴム製キャップは平板に接合する筒状部が一体に射出成形され硬質に仕上げられ、図１に示すごとき形状のものを得ることができる。それをベースの固定に使用するボルト頭に嵌合すれば済むが、とくに、ゴム製キャップの形状はベースの固定に使用するボルト頭の形状とベース面に適合するよう、予め細心の注意を払い設計しておく必要がある。
【実施例１】
【０００９】
以下、図１に示すゴム製キャップについて説明する。図２に示すごとく、照明用のポール１のリブなしベース２が４箇所を土中のアンカーボルト３に仲介の高ナット４を介しボルト５を締めて固定される場合、ベース上面の開口を閉鎖し周縁を傾斜面にしてある平板、およびボルト頭の頂面と密接する当該平板中央部の下面に接続する、ボルト頭の全側面に密接する内側面を有する筒状部とからなる、硬質に成形されたゴム製キャップをボルト５の６角形の頭部に嵌合すれば養生が完了し、保安も保たれる。ゴム製キャップ６の平板は厚さ３ｍｍ、直径８０ｍｍの円形に仕上げてあるが、平板がボルト５の頭頂に接する部分はボルト５の盛り上がる形状に合わせて厚さを２ｍｍにしてある。また、筒状部側壁の厚さは３ｍｍにしてある。なお、ゴム製キャップの嵌合時に接着剤を使用して止水性を向上させることもできる。
【産業上の利用可能性】
【００１０】
本考案のゴム製キャップはボルト頭との嵌合が極めて容易なので、仕上げ作業がすみやかに終了し、見栄えもよく環境になじむし、耐久性も可成りあり、実用性の高いものである。
【符号の説明】
【００１１】
１ポール                                                                        ２ベース
３アンカーボルト
４高ナット
５ベース固定用ボルト
６ゴム製キャップ
【図２】
0003156121.tif 000003
【図１】
0003156121.tif 000004
(57)【要約】      （修正有）【課題】立体的な回収容器にも、手持ち袋にもなり、収納時には折り畳むことができる回収袋を提供する。【解決手段】回収袋の構造は、袋体において、上端に開口があり、開口の向かい合った両側に、各々袋体と連接向かい合って折れる持ち手部を設け、該２つの持ち手部に各々１つの開孔があり、該２つの開孔の内径に、各々合い違った磁極の磁性リング２を備えで構成される。【選択図】図２
0003156123.tif 000002
【実用新案登録請求の範囲】
【請求項１】
回収袋であって、袋体において、上端に開口があり、該開口の向かい合った両側に、各々袋体と連接向かい合って折れる持ち手部を設け、該２つの持ち手部に各々１つの開孔があり、該２つの開孔の内径に、各々合い違った磁極の磁性リングを備えで構成される、袋体を立体に構えれば、２つの持ち手部を水平に合って折り畳み、２つの磁性リングを相互吸引して固定され、投入口ありの回収袋となることを特徴とする回収袋。
【請求項２】
前記回収袋は、折り畳み扁平形状態になれることを特徴とする請求項１に記載の回収袋。
【考案の詳細な説明】
【技術分野】
【０００１】
この考案は品物或いは資源回収に使用する回収袋に関する。
【背景技術】
【０００２】
従来の回収袋として使用する袋は、殆ど使い捨てビニールバッグを袋体として扱えることで、回収容器として使用するには不便がある。
公共区域には、資源回収ボックスを設置され、家庭から出される資源物を回収するが、家庭には、余り空間が足りないので、回収容器を設置するには無理の場合もある。
【考案の開示】
【考案が解決しようとする課題】
【０００３】
前述従来の回収袋は、品物をまとまる携帯する効用になるが、容器として、品物を受け取るには不便があり、資源回収ボックスは、品物を受け取り集中する効用になるが、持って歩くことには不便となる。
この考案は、以上の問題を解決する、両方とも機能を持つの回収袋を提供することを課題とする。
【課題を解決するための手段】
【０００４】
そこで、本考案者は従来の技術に見られる欠点に鑑み鋭意研究を重ねた結果、回収袋の構造は、袋体において、上端に開口があり、開口の向かい合った両側に、各々袋体と連接向かい合って折れる持ち手部を設け、該２つの持ち手部に各々１つの開孔があり、該２つの開孔の内径に、各々合い違った磁極の磁性リング２を備えで構成される。
回収容器として使用する形態は、袋体を立体に構えて、２つの持ち手部を水平に合って折り畳み、２つの磁性リングを相互吸引して固定され、回収容器となり、回収物を開孔へ投入して集中られる。
回収袋を収納とすれば、回収袋を折り畳み扁平形状態となって、便利で収納できる。
【考案の効果】
【０００５】
この考案によれば、回収袋が簡易で立体な回収容器に構えられ、持ち手部より、磁性リングを外して、すぐ手持ち袋となり、回収袋を収納とすれば、折り畳み扁平形状態となり、便利で収納できる。
【実施例１】
【０００６】
図１に、この考案の回収袋の第１実施例より円弧形体で持ち手部展開した状態の斜視図を開示する。図面によれば、この考案による回収袋の構造は、袋体１において、上端に開口があり、開口の向かい合った両側に、各々袋体１と連接向かい合って折れる持ち手部１１を設け、該２つの持ち手部１１に各々１つの開孔１２があり、該２つの開孔１２の内径に、各々合い違った磁極の磁性リング２を備えで構成される。
図２に、この考案の回収袋を回収に使用する形態を示す、袋体１を立体に構えて、図３，４に示すように、２つの持ち手部１１を水平に合って折り畳み、２つの磁性リング２を相互吸引して固定され、回収袋となり、回収物を開孔１２へ投入して集中られる。
図５に示すように、回収袋を収納とすれば、回収袋を折り畳み扁平形状態となって、便利で収納できる。
【実施例２】
【０００７】
図６に、この考案の回収袋の第２実施例より矩形体で持ち手部展開した状態の斜視図を開示する。図面によれば、この考案による回収袋の構造は、矩形袋体１において、上端に開口があり、開口の向かい合った両側に、各々袋体１と連接向かい合って折れる持ち手部１１を設け、該２つの持ち手部１１に各々１つの開孔１２があり、該２つの開孔１２の内径に、各々合い違った磁極の磁性リング２を備えで構成される。
図７に、この考案の回収袋を回収に使用する形態を示す、袋体１を立体に構えて、図３，４に示すように、２つの持ち手部１１を水平に合って折り畳み、２つの磁性リング２を相互吸引して固定され、回収袋となり、回収物を開孔１２へ投入して集中られる。
図８に示すように、回収袋を収納とすれば、回収袋を折り畳み扁平形状態となって、便利で収納できる。
【図面の簡単な説明】
【０００８】
【図１】この考案の回収袋の第１実施例より円弧形体で持ち手部展開した状態の斜視図である。
【図２】図１に示す回収袋の持ち手部で閉合した状態の斜視図である。
【図３】この考案の持ち手部と袋体の組み合わせ関係を示す断面図である。
【図４】この考案の持ち手部と袋体の組み合わされた断面図である。
【図５】図１に示す回収袋を折り畳み扁平形状態の斜視図である。
【図６】この考案の回収袋の第２実施例より矩形体で持ち手部展開した状態の斜視図である。
【図７】図６に示す回収袋の持ち手部で閉合した状態の斜視図である。
【図８】図６に示す回収袋を折り畳み扁平形状態の斜視図である。
【符号の説明】
【０００９】
１         袋体
１１       持ち手部
１２       開孔
２         磁性リング
【図１】
0003156123.tif 000003
【図２】
0003156123.tif 000004
【図３】
0003156123.tif 000005
【図４】
0003156123.tif 000006
【図５】
0003156123.tif 000007
【図６】
0003156123.tif 000008
【図７】
0003156123.tif 000009
【図８】
0003156123.tif 000010
(57)【要約】      （修正有）【課題】玉掛けワイヤーの絡まりを防止する絡まり防止天秤棒を提供する。【解決手段】天秤棒２と、該天秤棒の両端近傍に設けた連結手段に、それぞれの一端が連結されたチエーン１と、該チエーンの他端同志が連結するリング４とからなる。天秤棒の両端に設けたワイヤー７，７′が挿通する切り欠き部９，９′と、切り欠き部の外側に滑車１０，１０′とを設けたことを、特徴とする。【選択図】図１
0003156108.tif 000002
【実用新案登録請求の範囲】
【請求項１】
天秤棒と該天秤棒の両端近房に設けた連結手段にそれぞれ一端が連結されたチエーンと該チエーンの他端同志が連結するリングとからなる天秤棒であって、前記天秤棒の両端に設けたワイヤーが挿通する切り欠き部と、  切り欠き部の外側に滑車とを設けたことを特徴とする絡まり防止天秤棒
【請求項２】
前記切り欠き部が上向きに傾斜していることを特徴とする請求項１記載の絡まり防止天秤棒
【考案の詳細な説明】
【技術分野】
【０００１】本考案は、クレーンで吊り荷をワイヤーで玉掛けする際に、ワイヤー同志が絡まるのを防止する絡まり防止天秤棒に関する。
【背景技術】
【０００２】クレーンのフックに２本の玉掛けワイヤーを吊るし、２本のワイヤーの下端に荷をかけていた。玉掛けワイヤーには撚りが施されている。
【考案の概要】
【考案が解決しようとする課題】
【０００３】クレーンで吊り荷を玉掛けワイヤーで玉掛けする際、ワイヤー２本がクレーンのフックから掛っていたら、ワイヤーには撚りが施されているため２本のワイヤー同志が絡まって、解いて修正するのに時間がかかり、また絡まったままで玉掛けを行うとワイヤーの損傷や吊り荷の落下などを引き起こす。
【課題を解決するための手段】
【０００４】本考案は天秤棒と該天秤棒の両端近傍に設けた連結手段に、それぞれの一端が連結されたチエーンと該チエーンの他端同志が連結するリングとからなる天秤であって、前記天秤棒の両端に設けたワイヤーが挿通する切り欠き部と、切り欠き部の外側に滑車とを設けたことを特徴とする絡まり防止天秤棒である。これにより上記課題を解決するものである。
【考案の効果】
【０００５】ワイヤーの外側に滑車を設けることにより、吊り角度が大きくなっても天秤がスムーズに上昇するため、玉掛けワイヤーの曲がりや損傷がなくなる。
ワイヤーの通る切り欠き部内側には、シーブ状の溝がある為ワイヤーに与える損傷が大幅に軽減されワイヤー同志の絡まりがなくなり、作業効率のアップと安全性が確保される。
【図面の簡単な説明】
【０００６】
【図１】  本考案の絡まり防止天秤棒を、クレーンフックに取り付けた、無負荷の状態を示す図
【図２】  負荷の吊り角度が大きくなったときの状態を示す図
【考案を実施するための形態】
【０００７】図１は、クレーンのフックに、天秤棒２及びワイヤー７、７′を、セットした状態である。    ワイヤー７とワイヤー７′は、天秤棒２の長さ分だけ間隔があるので、絡まりを防止する。
図１において、ワイヤー７、７′は、天秤棒２の両端に設けられた、切り欠き部９、９′に挿通されている。
【０００８】図２は、玉掛けの位置が広く吊り角度が大きくなり、玉掛けワイヤーに負荷がかかると、天秤棒に挿通しているワイヤー７、７′は、滑車１０、１０′を介して無理なく直線になり、クレーンのフックに、重量を伝える。
この時天秤棒は、切り欠き部が上を向き両端の滑車により、円滑に上昇する。
【符号の説明】
【０００９】１            チエーン
２            天秤棒
３            吊りフック
４            リング
５            シーブ状の溝
６            クレーンのフック
７、７′      ワイヤー
８            玉掛けワイヤー
９、９′      切り欠き部
１０、１０′  滑車
【図１】
0003156108.tif 000003
【図２】
0003156108.tif 000004
(57)【要約】      （修正有）【課題】石鹸を効率的に泡立てることができる石鹸入りネット袋を提供する。【解決手段】ネットを二重もしくは三重にした袋に固形石鹸を入れて一体化する。【選択図】図１
0003156105.tif 000002
【実用新案登録請求の範囲】
【請求項１】
泡立ちを良くする目的のネットを二重もしくは三重にした袋に、ボディ用または洗顔用の固形石鹸を入れて一体化して、石鹸の使用が便利で衛生的なことを特徴とする石鹸入り袋。
【考案の詳細な説明】
【技術分野】
【０００１】  この考案は、固形石鹸を二重または三重のネット袋に入れて、泡立ちを有効にして使用する石鹸入りネット袋に関するものである。
【背景技術】
【０００２】  従来、石鹸の泡立てには別途に布、スポンジやブラシなどを使用しており、しかも左手の石鹸に右手には上記の布などを用いて泡立てをして洗顔や体洗いをしている。また用済み後の布やスポンジ、ブラシなどは特に清潔にして乾燥させる必要がある。
【考案の開示】
【考案が解決しようとする課題】
【０００３】  石鹸の泡立てを効率的に行い、要領よく短時間で目的を十分に達成したい。そして用済み後は衛生的でしかも再使用時は気持ちよく利用することを考慮した石鹸入りネット袋を提供することにある。
【課題を解決するための手段】
【０００４】  以上の目的を達成するために、この考案は、固形石鹸を当初から二重、三重にしたネットの袋に入れて封じて片手で使用するが、泡立ちがよく効率よく使用可能である。その袋には角に小さな輪がセットされて、乾燥時にはフック等に掛けやすく工夫されてある。【０００５】  使用目的に合った石鹸材質に、ネット材質（例えば木綿、絹、麻、ナイロンの樹脂系など）は不都合のないものを選び袋にして用いることで安心して使用できる。また袋の形状やネットの二重・三重の構造は固形石鹸の形状によってそれに最も適したサイズの袋に製作する。
【考案の効果】
【０００６】  以上の記載によって明らかなように、ネット袋に入った石鹸（石鹸を入れたネット袋）は片手で泡立ちが可能なために、もう一方の片手は自由に使える。例えば子どもの頭部や体を支えながら、片手は石鹸袋で泡立てして洗う。また介護時の高齢者の入浴などは有効に能率よく活用される。【０００７】  また、持ち運びが簡単でさらに作業中は手が滑ることもない。用済み後は水切り乾燥のためにフックに吊り下げておくだけでよい。極めて実用的で有益な効果が期待される。
【考案を実施するための最良の形態】
【０００８】  一般市場には固形石鹸とナイロンネット袋、スポンジ、ブラシなどが別々に販売されているので使用目的に合ったものを購入する。使用のときは固形石鹸と泡立て用に上記商品から選んだものとを併用している。よって最良の形態として両方を一体化して、各種ネット袋に使用目的に合った固形石鹸を入れて使用する。使用後は乾燥のためにネット袋をフックに掛けておく。【００１０】  石鹸の使用目的として、洗顔用、ボディ用、ベビー用、頭部ヘアー用、個人専用などがあり、これらに最適のネット材質を選んでネット袋を作成する。しかも泡立ちをよくするために二重、三重のネット袋とする。袋は石鹸が簡単に取り出せないようにネットが組まれている。ネットは軽くて丈夫な材質なために常時使用にも問題はない。【００１１】  用途に応じた固形石鹸が用意されるが、その使用目的でネット袋の形状を選ぶ。形状は四角形、丸型などまたサイズも大、小などがある。固形石鹸とネット袋の組み合わせで、間違いなく目的物は見分けられる。使用時以外はネット袋をフックに掛けておくと袋の乾燥を早める。
【実施例】
【００１２】  以下、添付図面に従って実施例を説明する。１はネット袋の中の固形石鹸、２はネットを二重または三重にした四角形の袋で石鹸が簡単に取り出せないように工夫されてあり、３は乾燥用の輪が設けられている。４はネット袋が丸型を表す。
【図面の簡単な説明】
【００１３】
【図１】
【図２】
【図３】
【図４】
【符号の説明】
【００１４】１
２
３
４
５
６
【図１】
0003156105.tif 000003
【図２】
0003156105.tif 000004
【図３】
0003156105.tif 000005
【図４】
0003156105.tif 000006
【手続補正書】
【提出日】平成21年10月15日(2009.10.15)
【手続補正１】
【補正対象書類名】明細書
【補正対象項目名】００１３
【補正方法】変更
【補正の内容】
【００１３】
【図１】外観図  この考案の四角形ネット袋の概略図である。
【図２】断面図  この考案の四角形ネット袋を水平に置き、本製品（ネット袋及び石鹸本体毎）を垂直方向に切断した切断面を水平方向から見た図である。
【図３】外観図  この考案の三角形ネット袋の概略図である。
【図４】断面図  この考案の三角形ネット袋を水平に置き、本製品（ネット袋及び石鹸本体毎）を垂直方向に切断した切断面を水平方向から見た図である。
【手続補正２】
【補正対象書類名】明細書
【補正対象項目名】００１４
【補正方法】変更
【補正の内容】
【００１４】１  固形石鹸
２  ネット袋本体（網目状）
３  フックに掛けることを目的として、輪の状態に閉じ合わせネットの縁部に縫い合わせたヒモ
４  ネットを袋状に縫い合わせた縫い目
(57)【要約】      （修正有）【課題】右足によるブレーキとアクセルの操作状況を、左足により常に把握することを可能にするとともに、左足と右足の相対的位置関係の感覚を呼び起こすことによって、ペダル操作の間違いを減少させるペダル誤動作防止構造を提供する。【解決手段】フットレストとブレーキペダルの踏面を、ほぼ同一の高さに配置したうえ、フットレストの上部右側の一部を切欠き、その切欠き部を概ね補う形状となるようブレーキペダルの踏面を左側に延長することにより、フットレストに置いた左足裏面が、ブレーキペダルにも接するようにする。フットレストに置いた左足裏面は、通常時ブレーキペダルに接しており、右足でブレーキペダルを踏んだときだけ離れるため、運転者は、右足の操作状況を、左足により常に把握できるようになる。【選択図】図１
0003156101.tif 000002
【実用新案登録請求の範囲】
【請求項１】
オートマチックトランスミッション自動車や電気自動車などの、クラッチペダルのない車において、フットレストとブレーキペダルの踏面を、ほぼ同一の高さに配置したうえ、フットレストの上部右側の一部を切欠き、その切欠き部を概ね補う形状となるようブレーキペダルの踏面を左側に延長することにより、フットレストに置いた左足裏面が、ブレーキペダルにも接するようにする。
【考案の詳細な説明】
【技術分野】
【０００１】  本考案は、オートマチックトランスミッション自動車や電気自動車などの、クラッチペダルのない車における、運転中のペダル誤操作を防止する為の、フットレスト及びブレーキペダルの形状と配置に関するものである。
【考案の概要】
【考案が解決しようとする課題】
【０００２】  マニュアルトランスミッション自動車の運転においては、左足によるクラッチ操作と、右足によるブレーキ・アクセル操作が常に連動しており、左足と右足との相対的位置関係が運転者に深く印象付けられ、左足から近い位置にあるブレーキペダルと、遠い位置にあるアクセルペダルを、間違えて踏み込んでしまうことはなかった。
クラッチペダルのない車においては、左足が運転操作から開放された為、左足と右足の相対的位置関係を意識する感覚が希薄となり、右足の位置を誤認する確立が高まった。しかも、ブレーキを踏むべき時にアクセルを踏んでしまったとき、運転者がその間違いに気づくのは、車が急加速した後であり、驚いた運転者が自分の間違いに気づかず、さらにアクセルを踏み込むという悪循環に陥いった場合、結果は致命的である。
本考案は、右足によるブレーキとアクセルの操作状況を、左足によって常に把握することを可能にするとともに、前述の左足と右足の相対的位置関係の感覚を呼び起こすことにより、間違いそのものを減少させようとするものである。
【課題を解決するための手段】
【０００３】    フットレストとブレーキペダルの踏面を、ほぼ同一の高さに配置したうえ、フットレストの上部右側の一部を切欠き、その切欠き部を概ね補う形状となるようブレーキペダルの踏面を左側に延長することにより、フットレストに置いた左足裏面が、ブレーキペダルにも接するようにする。
【考案の効果】
【０００４】  フットレストに置いた左足裏面は、通常時ブレーキペダルに接しており、右足でブレーキペダルを踏んだときだけ離れるため、運転者は、右足の操作状況を、左足により常に把握できるようになる。すなわち、左足からブレーキペダルが離れたら、右足が踏んでいるのはブレーキペダルであり、密着したままなら、右足が踏んでいるのはアクセルペダルである。この状態が日常化すると、左足との相対的位置関係（近い位置にあるブレーキペダル、遠い位置にあるアクセルペダル）が常に意識され、誤操作は大きく減少する。
また、誤操作をしたとき、右足でほんの少しだけアクセルペダルを踏み込んだ瞬間に、左足によって操作状況を知り、車が加速する前に、その間違いに気づくことが可能となる。緊急時には左足を右にスライドさせ、瞬時にブレーキペダルを踏み込むことも可能である。この結果、ペダル誤操作による事故は、激減する。
【図面の簡単な説明】
【０００５】
【図１】本考案の実施例を示す斜視図である。
【符号の説明】
【０００６】  Ａ  フットレスト
Ｂ  ブレーキペダル
Ｃ  アクセルペダル
Ｄ  左足位置
Ｅ  右足位置（ブレーキ操作時）
Ｆ  右足位置（アクセル操作時）
【図１】
0003156101.tif 000003
【手続補正書】
【提出日】平成21年9月11日(2009.9.11)
【手続補正１】
【補正対象書類名】実用新案登録請求の範囲
【補正対象項目名】全文
【補正方法】変更
【補正の内容】
【実用新案登録請求の範囲】
【請求項１】
オートマチックトランスミッション自動車や電気自動車などの、クラッチペダルのない車において、フットレストとブレーキペダルの踏面を、ほぼ同一の高さに配置したうえ、フットレストの上部右側の一部を切欠き、その切欠き部を概ね補う形状となるようブレーキペダルの踏面を左側に延長することにより、フットレストに置いた左足裏面が、ブレーキペダルにも接するようにするペダル誤操作防止構造。
(57)【要約】【課題】備蓄可能なコンパクト且つ軽量で、クッション性と通気性に優れ、また寝たきりの要介護者でも床ずれを起こしにくいマットを提供し、緊急で搬送が必要となった際にも、乗せ換えの必要なくして、このまま担架としてすばやく且つ安全確実に搬送することができる簡易担架マットを提供すること。【解決手段】簡易担架マット本体部分を多重織りにすることと、織り組織を工夫し複合化することにより、コンパクト且つ軽量でクッション性と通気性に優れたマットにした。【選択図】図１
0003156103.tif 000002
【実用新案登録請求の範囲】
【請求項１】
災害など有事の際に避難所等において使用される敷き具であり、また介護施設等において寝たきり老人などの要介護者が使用する敷き具でもあり、片側に少なくとも４箇所、両側で計８箇所の取手を有し、その取手に棒を通すことで瞬時に担架となり、また棒を通さず取手を持つことでそのまま搬送可能となることを特徴とする簡易担架マット。
【請求項２】
４重織りや５重織りなどの多重織り構造からなる厚みのある織物で、織り組織を工夫し複合化することによってクッション性、通気性に優れ、更には床ずれを起こしにくい特徴を持たせた請求項１に記載の簡易担架マット。
【考案の詳細な説明】
【技術分野】
【０００１】  本考案は、災害など有事の際に避難場所等において、また介護施設等で寝たきり老人などの要介護者が、敷き具として使用しながら、緊急的に搬送が必要となった際の担架に関するものである。
【背景技術】
【０００２】  災害など有事の際に避難場所において、通常、毛布などの掛け具は支給されるが、敷き具やマット等は嵩高く備蓄が困難である為あまり支給されない。とは言え敷き具なしの避難所での寝泊りは容易ではなく、危険を冒して自前の用具を取りに戻らなくてはならないのが現状である。【０００３】  また負傷者や要介護者が緊急で搬送される場合、負傷者や要介護者を担架に乗せ搬送されるのが一般的である。
【考案の概要】
【考案が解決しようとする課題】
【０００４】  災害などの有事の際に避難場所において、毛布などの掛け具だけでなく、備蓄可能なコンパクト且つ軽量で、クッション性と通気性に優れた敷き具が必要である。また介護施設等での要介護者が寝たきりであっても床ずれを起こしにくい敷き具が求められる。【０００５】  更に負傷者や要介護者が緊急で搬送される場合、一旦担架に乗せ搬送されるが、その際に負傷の悪化が懸念され、また一刻を争う緊急時には担架に乗せる行為が致命的になることも考えられる。【０００６】  従ってこの考案は、上記問題点を解決するためになされたものであって、その目的とするところは、備蓄可能なコンパクト且つ軽量で、クッション性と通気性に優れ、また寝たきりの要介護者でも床ずれを起こしにくいマットを提供し、緊急で搬送が必要となった際にも、乗せ換えの必要なくして、このまま担架としてすばやく且つ安全確実に搬送することができる簡易担架マットを提供することにある。
【課題を解決するための手段】
【０００７】  本考案は、簡易担架マット本体部分を多重織りにすることと、織り組織を工夫し複合化することにより、コンパクト且つ軽量でクッション性と通気性に優れたマットにした。【０００８】  また、このマットは片側に４箇所、両側で計８箇所のループ状の取手を設けてあり、この取手に棒を通すことによって、２人で搬送可能な担架となる。もちろん、棒を通さなくても取手を持つことによっても、そのまま搬送可能である。搬送者の人数は２人で可能だが、場合によっては取手が８箇所あるので４人で搬送することもできる。【０００９】  前記の課題を解決するために本考案請求項１記載の災害など有事の際に避難所等において使用される敷き具であり、また介護施設等において寝たきり老人などの要介護者が使用する敷き具でもあり、片側に少なくとも４箇所、両側で計８箇所の取手を有し、その取手に棒を通すことで瞬時に担架となり、また棒を通さず取手を持つことでそのまま搬送可能となることを特徴とする簡易担架マットにした。【００１０】  前記課題を解決するために本考案の請求項１を利用して、４重織りや５重織りなどの多重織り構造からなる厚みのある織物で、織り組織を工夫し複合化することによってクッション性、通気性に優れ、更には床ずれを起こしにくい特徴を持たせた簡易担架マットにした。
【考案の効果】
【００１１】  以上のことからこの考案によれば、災害など有事の際に避難場所等においてコンパクト且つ軽量でクッション性と通気性に優れ、また寝たきりの要介護者でも床ずれを起こしにくいマットが提供され、更に突然病院等へ搬送が必要となった際にも、乗せ替えの必要なくこのまま担架としてすばやく且つ安全確実に搬送することができる簡易担架マットを提供することができる。
【図面の簡単な説明】
【００１２】
【図１】  簡易担架マットを示した平面図である。
【図２】  簡易担架マットを示した断面図である。
【考案を実施するための形態】
【００１３】  以上説明してきたように、本考案請求項１記載の災害など有事の際に避難所等において使用される敷き具であり、また介護施設等において寝たきり老人などの要介護者が使用する敷き具でもあり、片側に少なくとも４箇所、両側で計８箇所の取手を有し、その取手に棒を通すことで瞬時に担架となり、また棒を通さず取手を持つことでそのまま搬送可能となる簡易担架マットにした。
【００１４】  また、４重織りや５重織りなどの多重織り構造からなる厚みのある織物で、織り組織を工夫し複合化することによってクッション性、通気性に優れ、更には床ずれを起こしにくい特徴を持たせた簡易担架マットにした。
【実施例】
【００１５】  ポリエステル系短繊維を用いて５重織りにし、また織り組織を工夫し複合化することによりコンパクト且つ軽量でクッション性と通気性に優れたマットを得た。【００１６】  サイズは、タテ２０００ｍｍ、ヨコ１０５０ｍｍ内外とし、片側に約６００ｍｍ間隔で４箇所ずつ、両側で計８箇所のループ状の取手を付け、搬送可能な簡易担架マットを得た。【００１７】  マットの物性値としては、タテ方向の強力が５４４６Ｎ（ニュートン）／３ｃｍ、ヨコ方向の強力が８１５０Ｎ（ニュートン）／３ｃｍとした。【００１８】  また、取手部分の物性値は、取手一個当たり７３１４Ｎ（ニュートン）とし、いずれの数値も負傷者等を搬送するための担架としては十分な強度であると言える。【００１９】  またマットの厚みは４ｍｍあり、クッション性は十分で床ずれの心配もなく、また通気性にも優れている。【００２０】  また、取手のループ部分の直径は１２０ｍｍとしているので、担架用の棒は十分挿入可能である。更に棒を通さずそのまま取手を持って２人で搬送することも可能である。
【符号の説明】
【００２１】１  簡易担架マット
２  簡易担架マットの本体
３  取手
４  棒
【図１】
0003156103.tif 000003
【図２】
0003156103.tif 000004
(57)【要約】      （修正有）【課題】屋外の特にお墓参りのような強風の環境下でも火の消えない容器入りローソクを提供する。【解決手段】外周に紙を巻いたローソクの３本以上の複数本を束ねる。その束ねたローソク群１０を略ローソク長の深さの内側カップ５の中に入れることによって強風下での火種を絶やさないようにする。内側カップ５を外側カップ６に収納することでカップを二重構造にすることで外側カップの表面温度の上昇を抑えた。又、外側カップは蓋７付きカップにすることでローソクの火を簡単に消せるようにもした。【選択図】図２
0003156164.tif 000002
【実用新案登録請求の範囲】
【請求項１】
3本以上の複数本のローソクと、該ローソクを入れる内側カップと、該内側カップを内蔵し、該カップとほぼ同じ高さの外側カップと、該外側カップを密閉するための蓋とを備え、複数本のローソクの間にローソクの蝋の溶融温度では軟化・溶融しない可燃性物質の障
壁を設けることを特徴にした容器入りローソク。
【請求項２】
外周に紙を巻いたローソクの複数本を束ねて1本のローソク状態にしたことを特徴とした請求項１の容器入りローソク。
【考案の詳細な説明】
【技術分野】
【０００１】
本考案は、強風下でも火が消えにくく燃焼時間も長くする容器入りローソクに関する。
【背景技術】
【０００２】
風に強いローソクを実現するためにローソクの芯を複数にすることが考えられてきた。
実用新案登録第３０００９８２号、特開２００５−２９８８２４公報、特開２００４−１４９７５０公報、特開２００４−１９７０５９公報、特開２００４−３３１９４５公報などが複数本の芯を有するローソクに関する公知資料である。実開平７−２２４１７公報では複数のろうそくを束にすることで芯を複数にすることが考えられてきた。
また、実開昭６３−４２１４２公報、実開平１−６２３４３公報、実開平２−１４２４５８公報、実開平８−２０９１８８公報、特開２００１−３４８５９４公報などでは、ローソクの外周面に紙などを巻きつけて、その紙にも芯の役割をさせて風に強くすることが考えられている。
【先行技術文献】
【特許文献】
【０００３】
【特許文献１】実開平７−２２４１７号公報
【考案の概要】
【考案が解決しようとする課題】
【０００４】
芯を複数本にし、芯の数を増やすとローソクの炎はどんどん大きくなり、勢いよく燃えて確かに風では消えにくくなる。しかし、火の勢いが良すぎてローソクは短時間に燃え尽きてしまう。そこで、複数本のローソクをコップのような容器に入れて燃やしてみると、ローソクの炎は徐々に容器の底の方に移動していき、下に移動するに従って炎の大きさも徐々に小さくなり、大幅に燃焼時間が長くなる。しかも、少々の風でも消えない。
【０００５】
ところが、炎の熱で容器が温まり、ローソクの蝋が溶融状態になる。蝋が溶融するとローソクの芯は支え失い、次々と自重で下の方に移動し、何本かが容器の淵に残るだけになる。こうなると、わずかな風でもローソクの火は消えてしまうし、場合によっては全部の芯が蝋の中に埋没してしまうと着火も出来なくなる。
【０００６】
そこで、この考案の課題は、ローソクの蝋の最後まで複数本の芯を燃焼可能な有効な芯
にすることにある。
【課題を解決するための手段】
【０００７】
上記課題を解決するために、請求項１の考案は３本以上の複数本のローソクと、該ローソクを入れる内側カップと、該内側カップを内蔵し、該カップとほぼ同じ高さの外側カップと、該外側カップを密閉するための蓋とを備え、複数本のローソクの間にローソクの蝋の溶融温度では軟化・溶融しない可燃性物質の障壁を設けることで、ローソクの燃焼の最後まで複数本の芯が有効に働けるようにした。
【０００８】
また、請求項２の考案では、請求項１に記載した障壁の具体例として紙を採用し、外周に紙を巻いたローソクの複数本を紙で束ねて1本のローソク状態にしたことを特徴とした容器入りローソクである。
【考案の効果】
【０００９】
本考案によれば、ローソクを複数本にすることによってローソクの芯が複数本となり、風によって何本かの芯の炎が消えても、何本かの芯の火が残ることにとって、少々の風では消えなくなる効果がある。
【００１０】
炎の火が風で消える時は炎が風で横になる。炎が横になった所に隣の芯があれば消える前に隣の芯を着火してしまうので芯が複数本あると風に吹かれても結果的にはローソクの火種が絶えなくなり、消えないローソクとなる。風の吹く方向が変化しても、風下に隣の芯が存在するためには最低3本が必要である。３６０度の全方向からの風を考えると7本が好ましく、さらに、9本以上束ねると、どんな風向きになっても芯が3本以上直列に配列されるので、強風の中でも火が消えなくなる。
【００１１】
また、複数本のローソクの間に蝋の溶融温度より高い軟化温度の可燃性物質、例えば紙を介在させることによって、ローソクの蝋が溶融しても芯の倒れが無くなり複数本の芯の間隔をローソクの直径以下に保つことができるとともに、可燃性物質も芯の働きをして、
さらに消えにくいローソクとなる。
【００１２】
そして、ローソクを容器に入れることによって直接の風が当たらなくなり、風の勢いを弱める効果があり、より風に強いローソクとなる。
【００１３】
また、複数本のローソクを束ねて燃やすと炎が大きくなり、蝋の消費量が大きくなり、
結果的には１本のローソクの燃焼時間となるが、ローソク群が容器に入っていると酸素量が制限されて、炎の大きさも制限され、結果的には燃焼時間を長くなるという効果もある。
【００１４】
しかも、容器を二重にすることによって外側カップの温度上昇を抑えるとともに、蓋を具備することで、風に強いローソクの火を簡単に消せるという効果もある。
【図面の簡単な説明】
【００１５】
【図１】図１は本考案の実施形態を示した説明図である。
【図２】図2は本考案の実施形態に係わるローソク群の構成を示した説明図である。
【考案を実施するための最良の形態】
【００１６】
以下、本考案の実施形態を図面を参照して説明する。図１は、本実施形態に用いるローソク群の形成順を説明した図である。芯２を有するローソク１の外周面にローソクに巻く紙３を巻いたローソク7本を、ローソクを束ねる紙３の中に入れることによってローソク群１０が形成される。
【００１７】
図2は、図１のローソク群１０を容器入れた断面図である。ローソク群１０を入れる容器が内側カップ５であり、その内側カップ５を入れる外側カップ６には密閉するための蓋７が具備されている。
【００１８】
ローソクに点火するには蓋７を開けて芯２に着火する。ローソクを消すときは蓋７を外側カップ６にかぶせるだけでローソクの火は酸欠で簡単に消火する。
【００１９】
なお、カップを二重にしたことで内側カップ５と外側カップ６の間に水などの放熱剤を入れることでき、外側カップ６の温度上昇を抑制することも可能である。
【産業上の利用可能性】
【００２０】
本考案は、特に強風の日が多い墓地のお墓に飾る燈明に適していると共に、屋外での線香への着火や花火への着火に適している。
【符号の説明】
【００２１】
１    ローソク
２    芯
３    ローソクに巻く紙
４    ローソクを束ねる紙
５    内側カップ
６    外側カップ
７    蓋
１０    ローソク群
【図１】
0003156164.tif 000003
【図２】
0003156164.tif 000004
(57)【要約】      （修正有）【課題】交通信号灯におけるカバー本体の正面部を改良して、カバー本体に直接太陽光線が当っても信号灯の「色」が目視できるようにし交通安全を確保する交通信号灯を提供する。【解決手段】交通信号灯におけるカバー本体の正面部を正面視が防眩凹曲面であることを特徴とする。運転者或いは歩行者の後方からの太陽光線が信号灯を照射してもカバー本体に当った光線は光束が焦点線上に集束して乱反射を起こさず、運転者、歩行者は容易に信号灯の「色」を目視し確認することができ交通安全を確保できる。【選択図】図１
0003156085.tif 000002
【実用新案登録請求の範囲】
【請求項１】
交通信号灯におけるカバー本体の正面部を正面視が防眩凹曲面であることを特徴とする交通信号灯。
【考案の詳細な説明】
【技術分野】
【０００１】
本考案は、交通信号灯の改良に関する。
【背景技術】
【０００２】
従来の交通信号灯（自動車用、歩行者用を含む。）の表面カバーは正面視凸面となっている。
【０００３】
殊に車の運転者の後方からの太陽光線が信号灯に当る朝夕等には、太陽光線によって信号灯の「色」が分かり難くなるほど乱反射して、運転者にとって目視困難な状況となり、交通安全を確保できないなどの危険性がある。勿論歩行者用の信号灯にも同じことが言える。
【考案の概要】
【考案が解決しようとする課題】
【０００４】
そこで本考案では、交通信号灯におけるカバー本体の正面部を改良して、カバー本体に直接太陽光線が当っても信号灯の「色」が目視できるようにし交通安全を確保しようとするものである。
【課題を解決するための手段】
【０００５】
交通信号灯におけるカバー本体の正面部を正面視が防眩凹曲面であることを特徴とする交通信号灯である。
【考案の効果】
【０００６】
本考案の効果として、運転者或は歩行者の後方からの太陽光線が信号灯を照射してもカバー本体に当った光線は光束が焦点線上に集束して乱反射を起こさず、運転者、歩行者は容易に信号灯の「色」を目視し確認することができ交通安全を確保できる。
【図面の簡単な説明】
【０００７】
【図１】本案交通信号灯の断面説明図。
【図２】歩行者用信号灯の縦断面説明図。
【実施例】
【０００８】
図１において、交通信号灯１におけるカバー本体２の正面部を正面視が粗面状の防眩凹曲面３であることを特徴とするものである。図中４は取付枠、５は本体ケースでＬＥＤ素子６などが取付けられている。７は庇、８はヒートシンク、９はＬＥＤランプである。
【０００９】
図２は歩行者用の信号灯であり構造的には上記図１の信号灯と殆ど同じである。
【００１０】
本案は以上のようになるものであるが、運転者或は歩行者の後方からの太陽光線が信号灯を照射してもカバー本体に当った光線は光束が焦点線上に集束して乱反射を起こさず、運転者、歩行者は容易に信号灯の「色」を目視し確認することができる。
【符号の説明】
【００１１】
１：交通信号灯
２：カバー体
３：防眩凹曲面
４：取付枠
５：本体ケース
６：ＬＥＤ素子
７：庇
８：ヒートシンク
９：ＬＥＤランプ
【図２】
0003156085.tif 000003
【図１】
0003156085.tif 000004
(57)【要約】      （修正有）【課題】紙紐の絡まりを低減すると共に作業時及び収納時の利便性を向上するホルダーを提供する。【解決手段】ホルダー本体１と一体となったポール３を設け紙紐の中心が嵌る様にする。本体底部には紙紐の滑りを抑制する滑り抑制シート５を敷く、蓋２にはポール３及び紙紐の端が通せる穴が開いている。ポール３の側面に２箇所ほど紙紐の端を引掛ける為の引掛けスリット４を設ける。【選択図】図１
0003156090.tif 000002
【実用新案登録請求の範囲】
【請求項１】
本ホルダー内に紙紐を収納する事により紙紐の絡まりを軽減すると共に作業時及び収納時の利便性を向上する事を目的としたホルダー。
【請求項２】
紙紐の他、紐状の物を収納する事で紙紐使用時同等の利便性が期待出来るホルダー。
【考案の詳細な説明】
【技術分野】
【０００１】本考案は紙紐をホルダーに収納する事により作業時及び保管時の利便性を向上させるものである。
【背景技術】
【０００２】古新聞等の古紙を縛る際には紙紐が一般的に用いられているが作業時や保管時には紙紐の絡まりに悩まされている。
【考案の概要】
【考案が解決しようとする課題】
【０００３】紙紐は使用時や保管時に絡まり易く作業能率を低下させると言う問題がある。
本考案の紙紐収納ホルダーを用いて前述の問題を解決するものである。
【課題を解決するための手段】
【０００４】本考案は、本ホルダーに紙紐を収納し紙紐先端部を中央部より取出して使用する。使用後は引出した紙紐の残りを中央部のポールに巻き付け更に引掛けスリットに紙紐を引掛けホツレを防止する事で問題解決をしている。
【考案の効果】
【０００５】上述の様に、本ホルダーに紙紐を収納する事により使用中の絡まりを低減すると共に引出して残った紙紐をポールに巻き付ける事で使用後の処理も簡単に行える。更に紙紐のホツレを気にする事無く保管出来、紙紐を最後まで快適に使用する事が可能となる。
【考案を実施するための形態】
【０００６】以下、添付図面に従って一実施例を説明する。ホルダー本体１より蓋２を外す紙紐の中心部より紙紐を引出す、紙紐の中心をポール３に合わせホルダー本体１にセットする、引出した紙紐を蓋２の中心部の穴に通して蓋２をホルダー本体１に、はめ戻す  引出した紙紐の端を引掛けスリット４に引掛ける。
【０００７】作業後等、長めに引出された紙紐はポール３に巻き付けた後、ホルダー本体１の下部に押し下げる、紙紐の端を引掛けスリット４に引掛けホツレを防止する。
【０００８】滑り抑制シート５は紙紐の無駄な動きを抑制し紙紐の絡まりの低減を目的としホルダー本体１の底に敷いて置く。
【図面の簡単な説明】
【０００９】
【図１】本考案の紙紐収納ホルダー外形及びその一部切欠断面図である。
【図２】本ホルダーに紙紐を収納した外形及び一部切欠断面図である。
【符号の説明】
【００１０】１  ホルダー本体
２  蓋
３  ポール（ホルダー本体と一体化）
４  引掛けスリット
５  滑り抑制シート
【図１】
0003156090.tif 000003
【図２】
0003156090.tif 000004
【手続補正書】
【提出日】平成21年7月25日(2009.7.25)
【手続補正１】
【補正対象書類名】実用新案登録請求の範囲
【補正対象項目名】全文
【補正方法】変更
【補正の内容】
【実用新案登録請求の範囲】
【請求項１】
本ホルダー内に紙紐を収納する事により紙紐の絡まりを軽減すると共に作業時及び収納時の利便性を向上する事を目的としたホルダー。
【請求項２】
紙紐及び紐状の物を収納する事で紙紐使用時と同様に紐の絡まりを軽減すると共に作業時及び収納時の利便性を向上する事を目的としたホルダー。
(57)【要約】      （修正有）【課題】ペットの足元を汚さず、長時間使用することが出来るペット用トイレシートを提供する。【解決手段】一枚のペット用トイレシートに吸水素材部分を二部分以上に分け、部分と部分の間を直接繋がず、おしっこを一つの吸水素材部分から他の吸水素材部分に浸透しないように構成されていることを特徴とする。【選択図】図３
0003156089.tif 000002
【実用新案登録請求の範囲】
【請求項１】
一枚のペット用トイレシートに吸水素材部分を三部分（二部分以上）に分け、三部分の吸水素材を直接繋げず、おしっこを一つの吸水素材部分から他の吸水素材部分に浸透しないように構成されていることを特徴とするペット用トイレシート。
【請求項２】
一枚のペット用トイレシートの吸水素材部分を三部分に分け、中間の部分が両側の吸水素材部分より倍以上に、多めに構成されていることを特徴とする［請求項１］記載のペット用トイレシート。
【考案の詳細な説明】
【考案の概要】
【０００１】  本考案は一枚のペット用トイレシートの吸水素材部分を三段に分け、真ん中の段に吸水素材を他の段の倍以上に使用する。おしっこを真ん中の段に集中的に吸収させ、上、下段の吸水素材部分に広がらせず、ペットの足元を汚さないで、一枚のシートを長時間にわたって使用出来る。
【考案が解決しようとする課題】
【０００２】  従来のペット用トイレシートは、吸水力は優れているが、その反面、使用中に瞬間的におしっこが広がってしまいペットの足元が汚れてしまうという弱点がある。また、こまめにシートを取り替えなければいけないので、手間が掛かる。しかも、ゴミの量が多くになってしまうという問題がある。本考案はペット（主に雄犬）の足元を汚さず、長時間使用することが出来るペット用トイレシートを提供する。
【課題を解決するための手段】
【０００３】  本考案は一枚のペット用トイレシートの吸水素材部分を三段に繋がらないように分け、真ん中の段に吸水素材を多めに入れる。雄犬は後ろ足を上げておしっこをする習性があるので、使用中はこのシートを斜めに置くことで真ん中の段におしっこを集中的に吸収させ、広がるのを防ぎ、ペットの足元が汚れるという弱点を改善することができる。また、真ん中の段の吸水素材の増量により、おしっこが上下の段に広がらないので、一枚のシートを長時間使用することが出来、更に、シートを上下に回転させることでより長く使用出来る。
【考案の効果】
【０００４】  以上のように、本考案独特の形状と構成によりおしっこが広がらずシートの中間部分に瞬間吸収され、ペットの足元を汚さず清潔に長時間使用することが出来る。雄犬一匹に対する従来のペット用トイレシートの一日の使用量を、三分の一以下に減らすことが出来る。従って、コストの削減と同時に、ゴミの量を減らすことが出来、地球環境と家庭環境にやさしい。一枚のシートを長時間にわたって使用出来、こまめに交換せずに済む。
【図面の簡単な説明】
【図１】本考案を示した平面図である。
【図２】本考案を示した断面図である。
【図３】本考案を示した使用図である。
【符号の説明】１  薄めに敷く吸水素材部分である。
２  多めに敷く吸水素材部分である。
３  防水縁である。
【図１】
0003156089.tif 000003
【図２】
0003156089.tif 000004
【図３】
0003156089.tif 000005
【手続補正書】
【提出日】平成21年6月23日(2009.6.23)
【手続補正１】
【補正対象書類名】実用新案登録請求の範囲
【補正の内容】
0003156089.tif 000006
【手続補正書】
【提出日】平成21年9月17日(2009.9.17)
【手続補正１】
【補正対象書類名】手続補正書
【補正対象項目名】手続補正１
【補正方法】変更
【補正の内容】
【手続補正１】
【補正対象書類名】実用新案登録請求の範囲
【補正対象項目名】請求項１
【補正方法】変更
【補正の内容】
【請求項１】
一枚のペット用トイレシートに吸水素材部分を二部分以上に分け、部分と部分の間を直接繋がず、おしっこを一つの吸水素材部分から他の吸水素材部分に浸透しないように構成されていることを特徴とするペット用トイレシート。